(57)【要約】【課題】見る方向にかかわらず、風の強さを容易に確認することができる風速表示器を提供する。【解決手段】支持体１１が両端にかかる重みで厚さ方向に曲がる可撓性を有する。支持体１１が支柱１を回転軸として回転可能に、重心位置で両面に対し垂直に支柱１に取り付けられる。１対の風受部１３が互いに反対面に風受面１３ｃを有する。各風受部１３は、風受面１３ｃに対し風を受けたとき支持体１１を支柱１に対し回転させるよう、それぞれ支持体１１の両端に設けられる。アーム１４が支柱１を回転軸として回転可能に、一端が支柱１に垂直に取り付けられる。風向表示部１５が第１風向表示面１５ａと、第１風向表示面１５ａに対して傾斜し、アーム１４の先端に接続した第２風向表示面１５ｂとを有する。【選択図】図１
2005003668.tif 000002
【特許請求の範囲】
【請求項１】
支柱に回転可能に取り付けられる風速表示器であって、
支持体と１対の風受部とを有し、
前記支持体は両端にかかる重みで厚さ方向に曲がる構成を有し前記支柱を回転軸として回転可能に重心位置で両面を支柱に対し垂直にして前記支柱に取り付けられ、
各風受部は互いに反対面に風受面を有して前記風受面に対し風を受けたとき前記支持体を前記支柱に対し回転させるようそれぞれ前記支持体の両端に設けられていることを、
特徴とする風速表示器。
【請求項２】
前記支持体は２枚の支持片から成り、各支持片は一端に両面を貫通する取付孔を有し互いに前記一端を重ねて前記取付孔で前記支柱により貫通されて前記支柱に回転可能に取り付けられており、前記支持体の側部に前記支柱への取付位置を示す基準位置表示を有することを、
特徴とする請求項１記載の風速表示器。
【請求項３】
アームと風向表示部とを有し、
前記アームは前記支柱を回転軸として回転可能に一端が前記支柱に垂直に取り付けられ、
前記風向表示部は前記支柱に沿って前記アームの長さ方向中心線を通る平面を挟んで面対称形状に構成され、前記平面に平行な第１風向表示面と、前記第１風向表示面に対して傾斜し前記アームの先端に接続した第２風向表示面とを有することを、
特徴とする請求項１または２記載の風速表示器。
【発明の詳細な説明】
【技術分野】
【０００１】
本発明は、風の強さを表示するための風速表示器に関する。
【背景技術】
【０００２】
従来、風の強さを表示する風速表示器として、風向計本体が水平方向に回動して風に対し平行に向き、プロペラが風速に応じた回転数で回転し、プロペラの回転速度に応じて風向計本体の側面に設けられた複数の表示灯が段階的に点灯するものがある（例えば、特許文献１参照）。また、風見鶏の尾にリボンを取り付けたものがある（例えば、特許文献２参照）。
【０００３】
【特許文献１】特開平１０−２０６４５４号公報
【特許文献２】登録実用新案第３０３１４７０号公報
【発明の開示】
【発明が解決しようとする課題】
【０００４】
しかしながら、特許文献１に記載の風速表示器は、表示灯が風向計本体の側面に設けられているため、風の正面側や背面側からは表示灯が見えず、風の強さを確認することができないという課題があった。特許文献２に記載の風速表示器は、風の正面側や背面側からはリボンの動きが見づらく、特に風によりリボンが不規則に舞う場合には風の強さを確認することが難しいという課題があった。
【０００５】
本発明は、このような従来の課題に着目してなされたもので、見る方向にかかわらず、風の強さを容易に確認することができる風速表示器を提供することを目的とする。
【課題を解決するための手段】
【０００６】
上記目的を達成するために、本発明に係る風速表示器は、支柱に回転可能に取り付けられる風速表示器であって、支持体と１対の風受部とを有し、前記支持体は両端にかかる重みで厚さ方向に曲がる構成を有し前記支柱を回転軸として回転可能に重心位置で両面を支柱に対し垂直にして前記支柱に取り付けられ、各風受部は互いに反対面に風受面を有して前記風受面に対し風を受けたとき前記支持体を前記支柱に対し回転させるようそれぞれ前記支持体の両端に設けられていることを、特徴とする。
【０００７】
本発明に係る風速表示器は、各風受部に風が当たっていないとき、支持体の両端がそこにかかる重みで重心位置に対し下方に曲がっている。支持体の両端にかかる重みは、自重、風受部の重量またはその両方であってもよい。支持体は、板材から成ることが好ましい。支持体は、両端にかかる重みで厚さ方向に曲がる可撓性を有していても、両端にかかる重みで回転軸を中心として厚さ方向に折れ曲がるようになっていてもよい。
【０００８】
本発明に係る風速表示器では、各風受部の風受面に風を受けると、支持体が支柱を回転軸として回転する。この回転により支持体および各風受部に遠心力が働き、支持体の両端および各風受部が風を受けていないときより上昇する。支持体は、風が強いときには回転数が大きくなり、風が弱いときには回転数が小さくなる。支持体および各風受部に働く遠心力は、回転数の２乗に比例する。したがって、風が強いほど、支持体および各風受部に働く遠心力が強くなって各風受部の位置がより高くなる。風が弱まれば、各風受部の位置は低くなる。
【０００９】
このように、風の強さに応じて各風受部の高さが変化するため、各風受部の高さにより風の強さが表される。従って、本発明に係る風速表示器では、各風受部の高さを観察することにより、風の強さを確認することができる。
【００１０】
本発明に係る風速表示器は、風の強さに応じて各風受部の高さが変化した状態で支持体が回転するため、見る方向にかかわらず、各風受部の高さから風の強さを容易に確認することができる。
【００１１】
本発明に係る風速表示器では、前記支持体は２枚の支持片から成り、各支持片は一端に両面を貫通する取付孔を有し互いに前記一端を重ねて前記取付孔で前記支柱により貫通されて前記支柱に回転可能に取り付けられており、前記支持体の側部に前記支柱への取付位置を示す基準位置表示を有していても良い。
【００１２】
本発明に係る風速表示器は、支持体が２枚の支持片から成るため、支持体に物がぶつかったとき、支持体が２枚の支持片に分解しやすい。このため、１枚の支持体から成る場合に比べて、衝突による衝撃を弱めることができる。また、本発明に係る風速表示器は、支柱への取付位置を示す基準位置表示を有するため、基準位置表示と比較して各風受部の高さを把握することができ、風の強さを確認しやすい。
【００１３】
本発明に係る風速表示器は、アームと風向表示部とを有し、前記アームは前記支柱を回転軸として回転可能に一端が前記支柱に垂直に取り付けられ、前記風向表示部は前記支柱に沿って前記アームの長さ方向中心線を通る平面を挟んで面対称形状に構成され、前記平面に平行な第１風向表示面と、前記第１風向表示面に対して傾斜し前記アームの先端に接続した第２風向表示面とを有していることが好ましい。
【００１４】
この構成では、風向表示部に風を受けると、アームが支柱を回転軸として回転して、アームの先端を風下側に向ける。このとき、風向表示部を見る角度によって、第１風向表示面および第２風向表示面の両方が見えたり、その一方のみが見えたり、見え方が変化する。従って、風向表示部の見え方によって風向きをより正確に確認することができる。
【発明の効果】
【００１５】
本発明によれば、見る方向にかかわらず、風の強さを容易に確認することができる風速表示器を提供することができる。
【発明を実施するための最良の形態】
【００１６】
以下、図面に基づき、本発明の実施の形態について説明する。
図１乃至図１４は、本発明の実施の形態を示している。
図１乃至図３に示すように、風速表示器１０は、支持体１１と補助板１２と１対の風受部１３とアーム１４と風向表示部１５と基準位置表示１６とを有している。
【００１７】
図１および図２に示すように、支持体１１は、細長い板材から成っている。支持体１１は、軟質合成樹脂または軽量アルミニウムから成り、両端にかかる重みで厚さ方向に曲がる可撓性を有している。支持体１１は、取付孔１１ａと１対の斜面部１１ｂとを有する。取付孔１１ａは、支柱１を挿入可能に、支持体１１の中央、重心位置に支持体１１を貫通して設けられている。支持体１１は、取付孔１１ａを回転中心として１８０度回転対称の形状を有している。各斜面部１１ｂは、支持体１１の一方の面の互いに反対端側で、一方の側部に沿って設けられている。各斜面部１１ｂは、互いに反対側の側部に設けられ、縁にかけて薄くなるよう傾斜している。支持体１１は、各斜面部１１ｂと反対側の側部のコーナーが斜めに切り欠かかれている。
【００１８】
支持体１１は、取付孔１１ａに支柱１を挿入することにより、支柱１を回転軸として回転可能に支柱１に取り付けられている。支持体１１は、一方の面を上にして、両面が支柱１に対し垂直になるよう取り付けられている。
【００１９】
図２に示すように、補助板１２は、ほぼ正方形で、中央に支柱１の挿入孔１２ａを有している。補助板１２は、挿入孔１２ａの位置を取付孔１１ａの位置に合わせ、支持体１１を両面から挟むよう取り付けられている。
【００２０】
図１および図２に示すように、各風受部１３は円盤部１３ａと補強部１３ｂとから成り、円盤部１３ａに風受面１３ｃを有している。円盤部１３ａは、中央部が風受面１３ｃ側でやや窪み、風受面１３ｃと反対の面側でやや膨らんだ皿状の形状を成している。補強部１３ｂは、円盤部１３ａと支持体１１の縁部とに固定されている。各風受部１３は、目立つよう両面に彩色が施されている。一例では、円盤部１３ａの中央部および補強部１３ｂに赤色、円盤部１３ａの周縁部に黄色の光反射材（スリーエム社製、商品名「スコッチライト」）を貼り付けている。
なお、各風受部１３の風受面１３ｃの中央には、風速表示器１０の安定性を高めるため、貫通孔が形成されていてもよい。風受面１３ｃは、視認性を確保するため、一定以上の大きさを要求されることから、直径を維持したまま貫通孔により安定性を図ることが望ましい。その貫通孔は、孔の大きさを調節可能な絞りを有していてもよい。
【００２１】
各風受部１３は、それぞれ支持体１１の両端の斜面部１１ｂと反対側の側部のコーナーに設けられている。各風受部１３は、補強部１３ｂの中心線を通る直線に沿って、風受面１３ｃ側で支持体１１の側部に固定されている。各風受部１３は、円盤部１３ａが支持体１１の端部に位置し、補強部１３ｂが支持体１１の中央側になるよう、支持体１１の両面に対し垂直に固定されている。各風受部１３は、風受面１３ｃが互いに反対側に向いているため、風受面１３ｃに対し風を受けたとき支持体１１を支柱１に対し回転させることができる。
【００２２】
基準位置表示１６は、円盤形状を成している。基準位置表示１６は、目立つよう両面に彩色が施されている。一例では、円盤部１３ａの中央部に赤色、円盤部１３ａの周縁部に黄色の光反射材を貼り付けている。基準位置表示１６は、支柱１への取付位置を示すよう、支持体１１の中央の両側部に１つずつ固定されている。基準位置表示１６は、円盤の中心線に沿って、支持体１１の両面に対し垂直に固定されている。
【００２３】
図３に示すように、アーム１４は、細長い板から成り、一端に支柱１を挿入可能なアーム取付孔１４ａを有する。図１および図２に示すように、アーム１４は、支柱１をアーム取付孔１４ａに挿入し、支柱１を回転軸として回転可能に取り付けられている。アーム１４は、支柱１に垂直に取り付けられている。
【００２４】
図３に示すように、風向表示部１５は、支柱１に沿ってアーム１４の長さ方向中心線を通る平面を挟んで面対称形状に構成されている。風向表示部１５は、対称面を挟んで、１対の第１風向表示面１５ａと１対の第２風向表示面１５ｂとを有している。
【００２５】
第１風向表示面１５ａは、平行四辺形状を成し、対称面に平行に設けられている。第２風向表示面１５ｂは、四角形状を成し、一辺がアーム１４に固定され、その対辺に沿って第１風向表示面１５ａが固定されている。第２風向表示面１５ｂは、支柱１を中心としてアーム１４の長さ方向中心線からやや開いた方向に傾斜している。第２風向表示面１５ｂは、第１風向表示面１５ａと鈍角に接続し、第１風向表示面１５ａに対して傾斜して設けられている。
【００２６】
第１風向表示面１５ａおよび第２風向表示面１５ｂは、目立つよう両面に彩色が施されている。図３（Ａ）に示す一例では、第１風向表示面１５ａは上辺部に黄色、他の部分に赤色の光反射材が貼り付けられ、第２風向表示面１５ｂは両側辺部および下辺部に黄色、他の部分に赤色の光反射材が貼り付けられている。図３（Ｂ）に示す一例では、第１風向表示面１５ａは上辺に平行に黄色のストライプ、他の部分に赤色の光反射材が貼り付けられ、第２風向表示面１５ｂは両側辺部および下辺部に黄色、他の部分に赤色の光反射材が貼り付けられている。
【００２７】
図４に示すように、支柱１は、一端に固定部１ａを有し、他端に向かって段状に径が小さくなるよう形成されている。支柱１は、固定部１ａにより鉛直に固定される。また、支柱１は、支持体取付部１ｂとアーム取付部１ｃとを有している。支柱１は、取付孔１１ａに支持体取付部１ｂを挿入して、支持体１１を取り付け、アーム取付孔１４ａにアーム取付部１ｃを挿入して、アーム１４を取り付けることができる。
【００２８】
次に、作用について説明する。
図１に示すように、風速表示器１０は、各風受部１３に風が当たっていないとき、支持体１１の両端が、各風受部１３の重量で重心位置に対し下方に曲がっている。
【００２９】
風速表示器１０は、各風受部１３の風受面１３ｃに風を受けると、支持体１１が支柱１を回転軸として回転する。この回転により支持体１１および各風受部１３に遠心力が働き、支持体１１の両端および各風受部１３が風を受けていないときより上昇する。支持体１１は、風が強いときには回転数が大きくなり、風が弱いときには回転数が小さくなる。支持体１１および各風受部１３に働く遠心力は、回転数の２乗に比例する。したがって、風が強いほど、支持体１１および各風受部１３に働く遠心力が強くなって各風受部１３の位置がより高くなる。風が弱まれば、各風受部１３の位置は低くなる。
【００３０】
このように、風の強さに応じて各風受部１３の高さが変化するため、各風受部１３の高さにより風の強さが表される。従って、風速表示器１０では、各風受部１３の高さを観察することにより、風の強さを確認することができる。
【００３１】
風速表示器１０は、風の強さに応じて各風受部１３の高さが変化した状態で支持体１１が回転するため、見る方向にかかわらず、各風受部１３の高さから風の強さを容易に確認することができる。
【００３２】
風速表示器１０は、支柱１への取付位置を示す基準位置表示１６を有するため、基準位置表示１６と比較して各風受部１３の高さを把握することができ、風の強さを確認しやすい。また、風速表示器１０は、各風受部１３および基準位置表示１６に目立つ色の光反射材が貼り付けられているため、視認性に優れ、風の強さを確認しやすい。
【００３３】
図５に示すように、風速表示器１０は、風向表示部１５に風を受けると、アーム１４が支柱１を回転軸として回転して、アーム１４の先端を風下側に向ける。このとき、風向表示部１５を見る角度によって、図５（Ａ）乃至（Ｅ）に示すように、第１風向表示面１５ａおよび第２風向表示面１５ｂの両方が見えたり、その一方のみが見えたり、見え方が変化する。従って、風向表示部１５の見え方によって風向きをより正確に確認することができる。また、第１風向表示面１５ａおよび第２風向表示面１５ｂに目立つ色の光反射材が貼り付けられているため、視認性に優れ、風向きを確認しやすい。
【００３４】
なお、図６に示すように、支持体１１は、２箇所に可撓部１１ｃを有していても良い。可撓部１１ｃは、図６（Ｃ）に示す蛇腹から成っていても、図６（Ｄ）に示す複数の孔から成っていても良い。この場合、支持体１１は、厚さ方向に容易に曲がる。
【００３５】
図７および図８に示すように、支持体１１は、２枚の支持片１１ｄから成っていても良い。各支持片１１ｄは、一端に両面を貫通する支持片取付孔１１ｅを有している。このとき、図７に示すように、各支持片１１ｄは、間に補助板１２を介して互いに一端を重ね、支持片取付孔１１ｅで支柱１により貫通されて、支柱１に回転可能に取り付けられても良い。また、図８に示すように、各支持片１１ｄは、補助板１２の挿入孔１２ａの両脇に設けられた支持片固定孔１２ｂに支持片取付孔１１ｅで取り付けられ、補助板１２の挿入孔１２ａで支柱１により貫通されて、支柱１に回転可能に取り付けられても良い。
【００３６】
この場合、風速表示器１０は、支持体１１が２枚の支持片１１ｄから成るため、支持体１１に物がぶつかったとき、支持体１１が２枚の支持片１１ｄに分解しやすい。このため、１枚の支持体１１から成る場合に比べて、衝突による衝撃を弱めることができる。
【００３７】
図９および図１０に示すように、風向表示部１５は、第１風向表示面１５ａが対称面に沿ってアーム１４の下面または上面に取り付けられていても良い。この場合にも、風向表示部１５を見る角度によって、第１風向表示面１５ａおよび第２風向表示面１５ｂの両方が見えたり、その一方のみが見えたり、見え方が変化する。従って、風向表示部１５の見え方によって風向きをより正確に確認することができる。
【００３８】
また、図１１（Ａ）および（Ｂ）に示すように、風速表示器１０は、１対の補助風受部１７を有していてもよい。各補助風受部１７は、細長い板材から成り、各風受部１３が固定されている支持体１１の側部に沿って支持体１１に固定される。各補助風受部１７は、支持体１１の各風受部１３と各可撓部１１ｃとの間に配置される。図１１（Ｂ）に示すように、各補助風受部１７は、支持体１１の側部を挟むように両面に伸びている。各補助風受部１７は、反対側の、各斜面部１１ｂが設けられている側部に向かって伸び、支持体１１の各面との間に間隔をあけている。これにより、各風受部１３だけで風を受けるときに比べて、風を受けやすくなる。なお、図１１（Ｃ）に示すように、各補助風受部１７は、支持体１１の下面側にのみ伸びていてもよい。また、各補助風受部１７は、支持体１１と一体であってもよい。
【００３９】
風速表示器１０は、図１２に示すように構成されていてもよい。図１２に示す構成で、支持体１１は２枚の支持片１１ｄから成り、各支持片１１ｄは３つの孔から成る可撓部１１ｃを有している。各風受部１３は風受面１３ｃの中央に貫通孔１３ｄが形成され、風向表示部１５は各第２風向表示面１５ｂと水平面との成す角度を小さくして設けられている。この場合にも、図１３（Ａ）乃至（Ｅ）に示すように、風向表示部１５を見る角度によって、第１風向表示面１５ａおよび第２風向表示面１５ｂの両方が見えたり、その一方のみが見えたり、見え方が変化する。従って、風向表示部１５の見え方によって風向きをより正確に確認することができる。
【００４０】
風速表示器１０は、図１４に示すように構成されていてもよい。図１４に示す構成で、風速表示器１０は、支柱１に回転可能に取り付けられ、支持体２１と１対の風受部２２とストッパ２３とを有している。
【００４１】
支持体２１は、連結部材２４と２枚の支持片２５とから成っている。連結部材２４は、断面コの字型を有し、端部に互いに対向する取付片２４ａを有している。連結部材は、中央に支柱１を挿入するための取付孔を有している。各取付片２４ａは、両端が内側に屈曲して折れ曲がり、その両端に支持片取付孔２４ｂを有している。各取付片２４ａは、中間部に基準位置表示１６を取り付けるための１対の表示取付孔２４ｃを有している。各支持片２５は、板材から成り、一端に幅方向に伸びる軸材２５ａを有している。各支持片２５は、軸材２５ａで支持片取付孔２４ｂに回転可能に取り付けられている。これにより、支持体２１は、支持片取付孔２４ｂを中心として自重で支持片２５の厚さ方向に折れ曲がるようになっている。支持体２１は、取付孔に支柱１を挿入させて、支柱１を回転軸として回転可能に重心位置で両面を支柱１に対し垂直にして支柱１に取り付けられている。
【００４２】
各風受部２２は、互いに反対面に風受面２２ａを有して風受面２２ａに対し風を受けたとき支持体２１を支柱１に対し回転させるようそれぞれ支持体２１の両端に取り付けられている。
ストッパ２３は、細長い板から成り、両端が下方に折れ曲がって全体がＣ字形状をなしている。ストッパ２３は、連結部材２４の上に乗せられ、取付片２４ａの間に挟まれている。ストッパ２３は、中央に支柱１を挿入するための取付孔２３ａを有している。ストッパ２３は、平坦な支持面２３ｂで各支持片２５を傾斜させて支持する。
【００４３】
図１４の構成では、図１４（Ｂ）に示すように、各風受部２２が風を受けていないとき、各支持片２５はストッパ２３で支持される。このため、各支持片２５が風により回転して上昇した後に風が弱くなって下降したとき、支柱１にぶつかって破損するのを防ぐことができる。
【図面の簡単な説明】
【００４４】
【図１】本発明の実施の形態の風速表示器の（Ａ）向かって右からの横風を受けた状態を示す正面図、および（Ｂ）そのときの左側面図である。
【図２】図１に示す風速表示器の平面図である。
【図３】図１に示す風速表示器の風向表示部を示す（Ａ）斜視図、および（Ｂ）模様が異なる変形例を示す斜視図である。
【図４】図１に示す風速表示器に用いられる支柱を示す正面図である。
【図５】図３（Ｂ）に示す風向表示部の（Ａ）向かって右からの横風を受けた状態を示す正面図、（Ｂ）向かって右寄りの向かい風を受けた状態を示す正面図、（Ｃ）向かい風を受けた状態を示す正面図、（Ｄ）向かって左寄りの向かい風を受けた状態を示す正面図、および（Ｅ）向かって左からの横風を受けた状態を示す正面図である。
【図６】図１に示す風速表示器の変形例を示す（Ａ）斜視図、（Ｂ）補助板の斜視図、（Ｃ）支持体の斜視図、および（Ｄ）異なる変形例を示す支持体の可撓部の斜視図である。
【図７】図１に示す風速表示器の変形例を示す（Ａ）斜視図、（Ｂ）補助板の斜視図、および（Ｃ）支持片の斜視図である。
【図８】図１に示す風速表示器の変形例を示す（Ａ）斜視図、（Ｂ）補助板の斜視図、および（Ｃ）支持片の斜視図である。
【図９】図１に示す風速表示器の風向表示部の変形例を示す（Ａ）斜視図、（Ｂ）正面図、（Ｃ）平面図、および（Ｄ）左側面図である。
【図１０】図１に示す風速表示器の風向表示部の変形例を示す（Ａ）斜視図、（Ｂ）正面図、（Ｃ）平面図、および（Ｄ）左側面図である。
【図１１】図１に示す風速表示器の変形例を示す（Ａ）斜視図、（Ｂ）Ａ−Ａ断面端面図、および（Ｃ）図１に示す風速表示器の他の変形例を示すＡ−Ａ断面端面図である。
【図１２】図１に示す風速表示器の変形例を示す斜視図である。
【図１３】図１２に示す風速表示器の風向表示部の（Ａ）向かって右からの横風を受けた状態を示す正面図、（Ｂ）向かって右寄りの向かい風を受けた状態を示す正面図、（Ｃ）向かい風を受けた状態を示す正面図、（Ｄ）向かって左寄りの向かい風を受けた状態を示す正面図、および（Ｅ）向かって左からの横風を受けた状態を示す正面図である。
【図１４】図１に示す風速表示器の変形例の（Ａ）補助板を示す斜視図、（Ｂ）風がない状態を示す正面図である。
【符号の説明】
【００４５】
１０  風速表示器
１１  支持体
１２  補助板
１３  風受部
１４  アーム
１５  風向表示部
１６  基準位置表示
【図１】
2005003668.tif 000003
【図２】
2005003668.tif 000004
【図３】
2005003668.tif 000005
【図４】
2005003668.tif 000006
【図５】
2005003668.tif 000007
【図６】
2005003668.tif 000008
【図７】
2005003668.tif 000009
【図８】
2005003668.tif 000010
【図９】
2005003668.tif 000011
【図１０】
2005003668.tif 000012
【図１１】
2005003668.tif 000013
【図１２】
2005003668.tif 000014
【図１３】
2005003668.tif 000015
【図１４】
2005003668.tif 000016